【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
手動操作可能な装置（５００）であって、
前記装置（５００）の動作を制御するために配列されたプロセッサ（５１０）と、
前記装置（５００）に電力を供給する電源（５２８）と、
視覚表示材料を表示するために配列された視覚表示装置（５１６）と、
知覚応答を生成するための応答発生器（５１６、５１８）と、
使用中に、同様の手動操作可能な装置との通信に影響を与えるように構成された通信ユニット（５１４）と、を備え、
前記装置（５００）は、視覚表示材料の表示により表された変化可能な個々の特性を与え、かつ、前記プロセッサ（５１０）は、その応答発生器（５１６、５１８）内で知覚応答を生成するか、または同様の装置（６１０〜６１６）の応答発生器内で知覚応答を生成し、前記生成された知覚応答は、前記装置（５００）自体により与えられた前記個々の特性と、前記同様の装置（６１０〜６１６）により与えられた個々の特性と、のうち少なくとも１つに依存し、
前記手動操作可能な装置は、
前記応答発生器により出力された前記知覚応答が、前記装置の手動操作と、変化可能な個々の特性の間における相互作用と、に従い、前記相互作用は、前記装置と、少なくとも一つの隣接して位置する相互作用装置との間における相対的位置に依存することと、
前記手動操作可能な装置が、前記相対的位置を検出するように構成された近接センサ（５２０）をさらに含むことと、
視覚表示材料の表示により表された前記手動操作可能な装置の前記変化可能な個々の特性が、一つの文字、一群の文字、一つの言葉、複数の言葉、数、数学記号、または音楽記号のうち少なくとも１つの形態をとることと、
前記同様の装置（６１０〜６１６）上における前記個々の特性が、一つの文字、一群の文字、数、数学記号、または音楽記号として視覚的に表されることと、
前記手動操作可能な装置（５００）の前記個々の特性が、前記プロセッサ（５１０）により制御され、かつ、
ｉ）前記同様の装置（６１０〜６１６）の近傍検出と、
ｉｉ）その検出の時間においてその同様の装置（６１０〜６１６）上に与えられた前記個々の特性と、
に基づいて時間とともに選択的に変化可能であることと、
を特徴とする、装置（５００）。
【請求項２】
前記知覚応答が関連する視覚的アニメーションを含む、請求項１に記載の装置（５００）。
【請求項３】
前記応答発生器（５１６、５１８）は、
音素と、
言葉、句、または文と、
視覚的に与えられた数の数学的特性に関連するスピーチと、
音楽記号に対応する音声音楽応答と、
のうち少なくとも１つを生成するように配列された音声発生器（５１８）を備える、請求項１または２に記載の装置（５００）。
【請求項４】
前記個々の特性および／又は発生されるべき知覚応答を決定するようにプログラム可能である、請求項１〜３のいずれか１項に記載の装置（５００）。
【請求項５】
前記通信ユニット（５１４）は、それ自体を識別し且つ知覚応答を発生するために他の同様の装置（６１０〜６１６）と通信するように適合される、請求項１〜４のいずれか１項に記載の装置。
【請求項６】
前記通信ユニット（５１４）が無線装置を備える、請求項５に記載の装置（５００）。
【請求項７】
前記通信ユニット（５１４）は、前記近接センサによって検出されたように、隣り合う装置の近接性を通信するように構成される、請求項１〜６のいずれか１項に記載の装置（５００）。
【請求項８】
前記通信ユニット（５１４）は、前記隣り合う装置の識別情報を通信するように構成される、請求項７に記載の装置（５００）。
【請求項９】
前記装置（５００）の端部は、各装置における視覚表示材料と一致する所定の方向で互いに嵌め合い或いは同様の装置（６１０〜６１６）の端部と組み合わさるように適合される、請求項１〜８のいずれか１項に記載の装置（５００）。
【請求項１０】
前記視覚表示装置（５１６）上に表示される画像を取得するように適合されるカメラを含む、請求項１に記載の装置（５００）。
【請求項１１】
前記音声発生器（５１８）によって再生される音を取得するように適合されるマイクロフォンを含む、請求項３に記載の装置（５００）。
【請求項１２】
前記装置（５００）の個々の特徴付けまたは知覚応答のプログラミングで用いるデータを入力するためのデータ入力手段（５１２）を含む、請求項１〜１１のいずれか１項に記載の装置（５００）。
【請求項１３】
タッチに対して感度がよく、かつ知覚出力を誘発するように適合されたユーザセンサ（５２２）を含む、請求項１〜１２のいずれか１項に記載の装置（５００）。
【請求項１４】
前記ユーザセンサ（５２２）によって誘発される前記知覚出力が１つ以上の他の装置からの出力を生成する、請求項１３に記載の装置（５００）。
【請求項１５】
ユーザによって誘発される前記知覚出力が特性出力を備える、請求項１３に記載の装置（５００）。
【請求項１６】
前記装置の動きを検出して知覚応答を誘発するように適合された動作センサ（５２４）を含む、請求項１〜１５のいずれか１項に記載の装置（５００）。
【請求項１７】
適切な知覚応答を生成することができるように、隣り合う装置を識別し、前記通信ユニット（５１４）を介して、前記隣り合う装置の識別情報および位置の情報を他の装置に伝えるようにさらに適合された、請求項１〜１６のいずれか１項に記載の装置（５００）。
【請求項１８】
少なくとも２つの手動操作可能な装置の組（６１０〜６１６）であって、各装置が請求項１〜１７のいずれか１項に従い、ひいては、一つの文字、一群の文字、一つの言葉、複数の言葉、数、数学記号、または音楽記号のうち少なくとも１つの形態をとる視覚表示材料の表示により表された変化可能な個々の特性を与えるように適合され、各手動操作可能な装置（６１０〜６１６）が複数の異なる配列でそのような他の装置に対して位置付けることができ、
前記装置（５００）が、前記組（６１０〜６１６）の前記少なくとも２つの手動操作可能な装置の前記応答発生器（５１６、５１８）のうち少なくとも少なくとも１つを通じて調整された知覚応答を生成し、前記調整された応答は前記装置の配列に従い、前記知覚応答が、前記少なくとも２つの装置（６１０〜６１６）のうち第１のものにより与えられた前記個々の特性と、前記少なくとも２つの装置のうち少なくとも２つの前記個々の特性の組み合わせと、のうち少なくとも１つに依存する、装置の組（６１０〜６１６）。
【請求項１９】
前記知覚応答は、前記装置のうちの１つ以上の視覚表示装置（５１６）上において生成された視覚表示を備える、請求項１８に記載の装置の組（６１０〜６１６）。
【請求項２０】
前記応答発生器は、
音素と、
言葉、句、または文と、
視覚的に与えられた数の数学的特性に関連するスピーチと、
音楽記号に対応する音声音楽応答と、
のうち少なくとも１つを生成するように配列された音声発生器（５１８）を備える、請求項１８または１９に記載の装置の組（６１０〜６１６）。
【請求項２１】
前記装置（６１０〜６１６）が前記複数の異なる配列で配置され、且つ各装置の位置および識別情報を識別することができるボード（６００）を含む、請求項１８〜２０に記載の装置の組（６１０〜６１６）。
【請求項２２】
前記ボード（６００）は、視覚表示を生成するように構成されたスクリーン（６２２）を組み込む、請求項２１に記載の装置の組（６１０〜６１６）。
【請求項２３】
前記ボード（６００）は、各装置（６１０〜６１６）の電源（５２８）を前記ボード（６００）上に配置されるときに充電するための手段（６２０）を組み込む、請求項２１または２２に記載の装置の組（６１０〜６１６）。
【請求項２４】
１つ以上の装置の通信ユニット（５１４）は、テレビ放送からプログラミングデータを受信するように適合される、請求項１８〜２３のいずれか１項に記載の装置の組（６１０〜６１６）。
【請求項２５】
前記装置のうちの少なくとも２つは、前記視覚表示材料が一つの線に沿う重要な様式で読むように前記線の中に配列されるように構成され、同様の装置は、装置の前記線の一方側に隣接して位置付けることができ、それにより、前記同様の装置上に前記視覚表示材料の変化を装置の前記線の変化と一致するように引き起こす、請求項１８に記載の装置の組（６１０〜６１６）。
【請求項２６】
前記装置の配列に従って応答し、かつ前記知覚応答を発生することができるインテリジェントコンピュータネットワークを形成するために前記通信ユニット（５１４）を介して通信するように構成される、請求項１８〜２５のいずれか１項に記載の装置の組（６１０〜６１６）。
【請求項２７】
請求項１〜１７のいずれか１項に記載の１つ以上の装置（５００）を備える、学習装置。
【請求項２８】
請求項１〜２６のいずれか１項に記載の１つ以上の装置（５００）を備える、ゲーム装置。